(57)【要約】  【課題】  コストを削減できる冷蔵庫及び電気機器を提供する。  【解決手段】  接地される接地線８Ｅを接続する接地接続用プリント基板９を備えた冷蔵庫１において、接地接続用プリント基板９の両面に設けられた導電箔から成る第１、第２配線２３、２４と、第１配線２３上に設けられる第１ランド部２３ａと、第１ランド部２３ａに対向して第２配線２４上に設けられる第２ランド部２４ａと、第１、第２ランド部２３ａ、２４ａを貫通する第１スルーホール２５と、第１配線２３上に設けられる第１アース端子２３ｂと、第１アース端子２３ｂに対向して第２配線２４上に設けられる第２アース端子２４ｂと、第１、第２アース端子２３ｂ、２４ｂを貫通する第２スルーホール２６とを備え、第１、第２ランド部２３ａ、２４ａのいずれか一方に接地線８Ｅが半田付けされ、電気部品の接地側に導通した接続線１２が第１、第２アース端子２３ｂ、２４ｂのいずれか一方に半田付けされる。【選択図】      図６
2006261503.tif 000002
【特許請求の範囲】
【請求項１】
接地される接地線を接続する接地接続用プリント基板を備えた電気機器において、前記接地接続用プリント基板の両面に設けられた導電箔から成る第１、第２配線と、第１配線上に設けられる第１ランド部と、第１ランド部に対向して第２配線上に設けられる第２ランド部と、第１、第２ランド部を貫通する第１スルーホールと、第１配線上に設けられる第１アース端子と、第１アース端子に対向して第２配線上に設けられる第２アース端子と、第１、第２アース端子を貫通する第２スルーホールとを備え、第１、第２ランド部の一方に前記接地線が半田付けされるとともに第１、第２アース端子の一方に電気部品の接地側が半田付けされることを特徴とする電気機器。
【請求項２】
接地される接地線を接続する接地接続用プリント基板を備えた電気機器において、前記接地接続用プリント基板の表面に設けられた導電箔から成る配線と、前記配線上に設けられる第１ランド部と、第１ランド部に対向して前記接地接続用プリント基板の裏面に設けられる第２ランド部と、第１、第２ランド部を貫通する第１スルーホールと、前記配線上に設けられる第１アース端子と、第１アース端子に対向して前記接地接続用プリント基板の裏面に設けられる第２アース端子と、第１、第２アース端子を貫通する第２スルーホールと、第２ランド部と第２アース端子とを接続するリード線とを備え、第１、第２ランド部の一方に前記接地線が半田付けされるとともに第１、第２アース端子の一方に電気部品の接地側が半田付けされることを特徴とする電気機器。
【請求項３】
接地される接地線を接続する接地接続用プリント基板を備えた電気機器において、前記接地接続用プリント基板の一面に設けられた導電箔から成る第１、第２配線と、第１配線上に設けられる第１ランド部と、第２配線上に設けられるとともにリード線で第１ランド部に接続される第２ランド部と、第１配線上に設けられる第１アース端子と、第２配線上に設けられるとともにリード線で第１アース端子に接続される第２アース端子とを備え、第１、第２ランド部の一方に前記接地線が半田付けされるとともに第１、第２アース端子の一方に電気部品の接地側が半田付けされることを特徴とする電気機器。
【請求項４】
接地される接地線を接続する接地接続用プリント基板を備えた冷蔵庫において、前記接地接続用プリント基板の両面に設けられた導電箔から成る第１、第２配線と、第１配線上に設けられる第１ランド部と、第１ランド部に対向して第２配線上に設けられる第２ランド部と、第１、第２ランド部を貫通する第１スルーホールと、第１配線上に設けられる第１アース端子と、第１アース端子に対向して第２配線上に設けられる第２アース端子と、第１、第２アース端子を貫通する第２スルーホールとを備え、第１、第２ランド部の一方に前記接地線が半田付けされるとともに第１、第２アース端子の一方に電気部品の接地側が半田付けされることを特徴とする冷蔵庫。
【請求項５】
接地される接地線を接続する接地接続用プリント基板を備えた冷蔵庫において、前記接地接続用プリント基板の表面に設けられた導電箔から成る配線と、前記配線上に設けられる第１ランド部と、第１ランド部に対向して前記接地接続用プリント基板の裏面に設けられる第２ランド部と、第１、第２ランド部を貫通する第１スルーホールと、前記配線上に設けられる第１アース端子と、第１アース端子に対向して前記接地接続用プリント基板の裏面に設けられる第２アース端子と、第１、第２アース端子を貫通する第２スルーホールと、第２ランド部と第２アース端子とを接続するリード線とを備え、第１、第２ランド部の一方に前記接地線が半田付けされるとともに第１、第２アース端子の一方に電気部品の接地側が半田付けされることを特徴とする冷蔵庫。
【請求項６】
接地される接地線を接続する接地接続用プリント基板を備えた冷蔵庫において、前記接地接続用プリント基板の一面に設けられた導電箔から成る第１、第２配線と、第１配線上に設けられる第１ランド部と、第２配線上に設けられるとともにリード線で第１ランド部に接続される第２ランド部と、第１配線上に設けられる第１アース端子と、第２配線上に設けられるとともにリード線で第１アース端子に接続される第２アース端子とを備え、第１、第２ランド部の一方に前記接地線が半田付けされるとともに第１、第２アース端子の一方に電気部品の接地側が半田付けされることを特徴とする冷蔵庫。
【発明の詳細な説明】
【技術分野】
【０００１】
本発明は、接地される接地線を接続する接地接続用プリント基板を備えた冷蔵庫及び電気機器に関する。
【背景技術】
【０００２】
図１０は従来の冷蔵庫の接地線の接続状態を示している。冷蔵庫に接続される電源コード８は接地される接地線８Ｅ、活電線８Ｌ及び中性線８Ｎを有している。冷蔵庫には電子部品（不図示）が実装されるプリント基板９が設けられる。活電線８Ｌ及び中性線８Ｎの先端はハウジング１０により一体化され、ハウジング１０がプリント基板９に接続される。これにより、活電線８Ｌ及び中性線８Ｎはプリント基板９に設けた導電箔から成る配線２１、２２にそれぞれ導通する。活電線８Ｌ及び中性線８Ｎにより供給される信号は配線２１、２２を介して伝達される。
【０００３】
冷蔵庫に設けられる電気部品（不図示）の接地側には接続線１２が設けられる。接続線１２は冷蔵庫の筐体１３に接続され、接地線８Ｅは筐体１３にネジ１１で固定される。これにより、各電気部品の接地側が接地される。
【特許文献１】実開平４−６７３９２号公報（第５頁−第７頁、第３図）
【発明の開示】
【発明が解決しようとする課題】
【０００４】
しかしながら、上記従来の冷蔵庫によると、電源コード８がハウジング１０を介してプリント基板９に接続されるとともにネジ１１を介して筐体１３に接続される。このため、接続部品が多く冷蔵庫のコストが大きくなる問題があった。また、接地線が接続される他の電気機器において同様の問題がある。
【０００５】
本発明は、コストを削減できる冷蔵庫及び電気機器を提供することを目的とする。
【課題を解決するための手段】
【０００６】
上記目的を達成するために本発明は、接地される接地線を接続する接地接続用プリント基板を備えた電気機器において、前記接地接続用プリント基板の両面に設けられた導電箔から成る第１、第２配線と、第１配線上に設けられる第１ランド部と、第１ランド部に対向して第２配線上に設けられる第２ランド部と、第１、第２ランド部を貫通する第１スルーホールと、第１配線上に設けられる第１アース端子と、第１アース端子に対向して第２配線上に設けられる第２アース端子と、第１、第２アース端子を貫通する第２スルーホールとを備え、第１、第２ランド部の一方に前記接地線が半田付けされるとともに第１、第２アース端子の一方に電気部品の接地側が半田付けされることを特徴としている。
【０００７】
この構成によると、例えば、電源コード等に設けられる接地線は接地接続用プリント基板の表面に設けた第１ランド部に半田付けされ、第１スルーホールを介して裏面に設けた第２ランド部に半田が塗布される。電気機器に設けられる電気部品の接地側には接続線が導通して設けられる。接続線は接地接続用プリント基板の表面に設けた第１アース端子に半田付けされ、第２スルーホールを介して裏面に設けた第２アース端子に半田が塗布される。これにより、電気部品の接地側は並列な第１配線及び第２配線を介して接地線に接続される。接続線は電気部品に接続される導線または電気部品から延びた脚から成る。
【０００８】
また本発明は、接地される接地線を接続する接地接続用プリント基板を備えた電気機器において、前記接地接続用プリント基板の表面に設けられた導電箔から成る配線と、前記配線上に設けられる第１ランド部と、第１ランド部に対向して前記接地接続用プリント基板の裏面に設けられる第２ランド部と、第１、第２ランド部を貫通する第１スルーホールと、前記配線上に設けられる第１アース端子と、第１アース端子に対向して前記接地接続用プリント基板の裏面に設けられる第２アース端子と、第１、第２アース端子を貫通する第２スルーホールと、第２ランド部と第２アース端子とを接続するリード線とを備え、第１、第２ランド部の一方に前記接地線が半田付けされるとともに第１、第２アース端子の一方に電気部品の接地側が半田付けされることを特徴としている。
【０００９】
この構成によると、例えば、電源コード等に設けられる接地線は接地接続用プリント基板の表面に設けた第１ランド部に半田付けされ、第１スルーホールを介して裏面に設けた第２ランド部に半田が塗布される。電気機器に設けられる電気部品の接地側には接続線が導通して設けられる。接続線は接地接続用プリント基板の表面に設けた第１アース端子に半田付けされ、第２スルーホールを介して裏面に設けた第２アース端子に半田が塗布される。また、第２ランド部と第２アース端子とはリード線を半田付けして接続される。これにより、電気部品の接地側は並列な配線及びリード線を介して接地線に接続される。接続線は電気部品に接続される導線または電気部品から延びた脚から成る。
【００１０】
また本発明は、接地される接地線を接続する接地接続用プリント基板を備えた電気機器において、前記接地接続用プリント基板の一面に設けられた導電箔から成る第１、第２配線と、第１配線上に設けられる第１ランド部と、第２配線上に設けられるとともにリード線で第１ランド部に接続される第２ランド部と、第１配線上に設けられる第１アース端子と、第２配線上に設けられるとともにリード線で第１アース端子に接続される第２アース端子とを備え、第１、第２ランド部の一方に前記接地線が半田付けされるとともに第１、第２アース端子の一方に電気部品の接地側が半田付けされることを特徴としている。
【００１１】
この構成によると、例えば、電源コード等に設けられる接地線は接地接続用プリント基板の表面に設けた第１ランド部に半田付けされる。電気機器に設けられる電気部品の接地側には接続線が導通して設けられる。接続線は接地接続用プリント基板の表面に設けた第１アース端子に半田付けされる。また、第１ランド部と第２ランド部とはリード線を半田付けして接続され、第１アース端子と第２アース端子とはリード線を半田付けして接続される。これにより、電気部品の接地側は並列な第１、第２配線を介して接地線に接続される。接続線は電気部品に接続される導線または電気部品から延びた脚から成る。
【００１２】
また本発明は、接地される接地線を接続する接地接続用プリント基板を備えた冷蔵庫において、前記接地接続用プリント基板の両面に設けられた導電箔から成る第１、第２配線と、第１配線上に設けられる第１ランド部と、第１ランド部に対向して第２配線上に設けられる第２ランド部と、第１、第２ランド部を貫通する第１スルーホールと、第１配線上に設けられる第１アース端子と、第１アース端子に対向して第２配線上に設けられる第２アース端子と、第１、第２アース端子を貫通する第２スルーホールとを備え、第１、第２ランド部の一方に前記接地線が半田付けされるとともに第１、第２アース端子の一方に電気部品の接地側が半田付けされることを特徴としている。
【００１３】
また本発明は、接地される接地線を接続する接地接続用プリント基板を備えた冷蔵庫において、前記接地接続用プリント基板の表面に設けられた導電箔から成る配線と、前記配線上に設けられる第１ランド部と、第１ランド部に対向して前記接地接続用プリント基板の裏面に設けられる第２ランド部と、第１、第２ランド部を貫通する第１スルーホールと、前記配線上に設けられる第１アース端子と、第１アース端子に対向して前記接地接続用プリント基板の裏面に設けられる第２アース端子と、第１、第２アース端子を貫通する第２スルーホールと、第２ランド部と第２アース端子とを接続するリード線とを備え、第１、第２ランド部の一方に前記接地線が半田付けされるとともに第１、第２アース端子の一方に電気部品の接地側が半田付けされることを特徴としている。
【００１４】
また本発明は、接地される接地線を接続する接地接続用プリント基板を備えた冷蔵庫において、前記接地接続用プリント基板の一面に設けられた導電箔から成る第１、第２配線と、第１配線上に設けられる第１ランド部と、第２配線上に設けられるとともにリード線で第１ランド部に接続される第２ランド部と、第１配線上に設けられる第１アース端子と、第２配線上に設けられるとともにリード線で第１アース端子に接続される第２アース端子とを備え、第１、第２ランド部の一方に前記接地線が半田付けされるとともに第１、第２アース端子の一方に電気部品の接地側が半田付けされることを特徴としている。
【発明の効果】
【００１５】
本発明によると、第１ランド部及び第１アース端子を有する第１配線を接地接続用プリント基板の表面に設け、第２ランド部及び第２アース端子を有する第２配線を接地接続用プリント基板の裏面に設けたので、国際安全規格を満足して接地線をプリント基板に容易に接続することができる。従って、電源コード等に設けられた接地線を接続する接続部品を削減して冷蔵庫及び電気機器のコストを削減することができる。
【００１６】
また、第１、第２配線を接地接続用プリント基板の両面に設けたので接地接続用プリント基板の実装効率が向上するとともに、リード線を省いて部品点数を更に削減できる。加えて、対向する第１、第２ランド部を貫通する第１スルーホールと、対向する第１、第２アース端子を貫通する第２スルーホールとを有するので、第１、第２スルーホールを介して第１、第２ランド部及び第１、第２アース端子に容易に半田を塗布することができる。従って、冷蔵庫及び電気機器の製造工数を削減することができる。
【００１７】
また本発明によると、第１ランド部及び第１アース端子を有する配線を接地接続用プリント基板の表面に設け、リード線で接続される第２ランド部及び第２アース端子を接地接続用プリント基板の裏面に設けたので、国際安全規格を満足して接地線をプリント基板に容易に接続することができる。従って、電源コード等に設けられた接地線を接続する接続部品を削減して冷蔵庫及び電気機器のコストを削減することができる。
【００１８】
また、第１、第２ランド部及び第１、第２アース端子を接地接続用プリント基板の両面に設けたので接地接続用プリント基板の実装効率が向上する。加えて、対向する第１、第２ランド部を貫通する第１スルーホールと、対向する第１、第２アース端子を貫通する第２スルーホールとを有するので、第１、第２スルーホールを介して第１、第２ランド部及び第１、第２アース端子に容易に半田を塗布することができる。従って、冷蔵庫及び電気機器の製造工数を削減することができる。
【００１９】
また本発明によると、第１ランド部及び第１アース端子を有する第１配線と、第２ランド部及び第２アース端子を有する第２配線とを接地接続用プリント基板の一面に設け、第１、第２ランド部をリード線で接続するとともに第１、第２アース端子をリード線で接続したので、国際安全規格を満足して接地線をプリント基板に容易に接続することができる。従って、電源コード等に設けられた接地線を接続する接続部品を削減して冷蔵庫及び電気機器のコストを削減することができる。
【発明を実施するための最良の形態】
【００２０】
以下に本発明の実施形態を図面を参照して説明する。説明の便宜上、前述の図１０に示す従来例と同一の部分は同一の符号を付している。図１は第１実施形態の冷蔵庫を示す正面図である。冷蔵庫１は上部に冷凍室２が配され、下部に冷蔵室３が配される。冷凍室２及び冷蔵室３はそれぞれ開閉扉２ａ、３ａにより開閉される。
【００２１】
図２は冷蔵庫１の側面断面図である。冷凍室２の背後には電気部品収納箱４が設けられる。電気部品収納箱４内には電気部品（不図示）が接続されるプリント基板９（接地接続用プリント基板）が配される。また、プリント基板９には冷蔵庫１に電源を供給する電源コード８が接続されている。
【００２２】
図３はプリント基板９と電源コード８の接続状態を示す図である。電源コード８には接地される接地線８Ｅ、活電線８Ｌ及び中性線８Ｎが設けられる。接地線８Ｅ、活電線８Ｌ及び中性線８Ｎの先端はハウジング１０により一体化され、ハウジング１０がプリント基板９に接続される。
【００２３】
図４はプリント基板９の表面を示す平面図である。プリント基板９の表面には導電箔から成る配線２１、２２、２３が設けられる。配線２１、２２の一端には導電箔から成るランド部２１ａ、２２ａが設けられる。ランド部２１ａ、２２ａにはそれぞれ活電線８Ｌ、中性線８Ｎが半田付けされる。
【００２４】
配線２１、２２の他端には導電箔から成るランド部２１ｂ、２２ｂが設けられる。ランド部２１ｂ、２２ｂには電気部品が半田付けされる。これにより、活電線８Ｌ及び中性線８Ｎにより供給される信号は配線２１、２２を介して伝達される。配線２３（第１配線）の一端には導電箔から成る第１ランド部２３ａが設けられる。配線２３の他端には導電箔から成る第１アース端子２３ｂが設けられる。
【００２５】
図５はプリント基板９の裏面を示す平面図である。プリント基板９の裏面には導電箔から成る配線２４（第２配線）が設けられる。配線２４の一端には第１ランド部２３ａに対向して導電箔から成る第２ランド部２４ａが設けられる。配線２４の他端には第１アース端子２３ｂに対向して導電箔から成る第２アース端子２４ｂが設けられる。第１、第２ランド部２３ａ、２４ａには第１スルーホール２５が貫通する。第１、第２アース端子２３ｂ、２４ｂには第２スルーホール２６が貫通する。
【００２６】
図６はプリント基板９の側面断面図を示している。第１ランド部２３ａには接地線８Ｅが半田付けされる。接地線８Ｅは第１スルーホール２５に挿通され、第１スルーホール２５に充填される半田２７により第２ランド部２４ａに半田付けされる。
【００２７】
第１アース端子２３ｂには電気部品（不図示）の接地側に導通する接続線１２が半田付けされる。接続線１２は電気部品に接続される導線または電気部品から延びた脚から成る。接続線１２は第２スルーホール２６に挿通され、第２スルーホール２６に充填される半田２７により第２アース端子２４ｂに半田付けされる。これにより、接地線８Ｅは配線２３、２４を介して電気部品の接地側に導通し、電気部品の接地側が接地される。
【００２８】
国際安全規格IEC60335-1の家庭用電気機器の安全性パート１：一般要求(Safety of household and similar electrical appliance. Part1 : General requirements. )の２７．６項には、プリント回路基板に設けた導電箔について規定されている。同項によると、それぞれ独立の半田接続点を有する２個以上の導電箔を手持型機器以外の機器の接地接続部に使用することができる。従って、冷蔵庫１のプリント基板９の接地接続部は導電箔から成る配線２３、２４を有し、国際安全規格を満たしている。
【００２９】
本実施形態によると、第１ランド部２３ａ及び第１アース端子２３ｂを有する配線２３をプリント基板９の表面に設け、第２ランド部２４ａ及び第２アース端子２４ｂを有する配線２４をプリント基板９の裏面に設けたので、国際安全規格を満足して接地線８Ｅをプリント基板９に容易に接続することができる。従って、電源コード８に設けられた接地線８Ｅを接続する接続部品を削減して冷蔵庫１のコストを削減することができる。
【００３０】
また、配線２３、２４をプリント基板９の両面に設けたのでプリント基板９の実装効率が向上するとともに、リード線を用いることなく部品点数を削減できる。加えて、対向する第１、第２ランド部２３ａ、２４ａを貫通する第１スルーホール２５と、対向する第１、第２アース端子２３ｂ、２４ｂを貫通する第２スルーホール２６とを有するので、第１、第２スルーホール２５、２６を介して第１、第２ランド部２３ａ、２４ａ及び第１、第２アース端子２３ｂ、２４ｂに容易に半田２７を塗布することができる。従って、冷蔵庫１の製造工数を削減することができる。
【００３１】
尚、第１、第２ランド部２３ａ、２４ａのいずれか一方に接地線８Ｅを半田付けすればよく、第１、第２アース端子２３ｂ、２４ｂのいずれか一方に接続線１２を半田付けすればよい。
【００３２】
次に、第２実施形態の冷蔵庫について説明する。本実施形態は前述の図１〜図６に示す第１実施形態に対してプリント基板９の裏面の構成が異なっている。その他の部分は第１実施形態と同一である。図７は本実施形態のプリント基板９の裏面を示す平面図である。説明の便宜上、第１実施形態と同一の部分は同一の符号を付している。
【００３３】
プリント基板９の裏面には導電箔から成る第２ランド部２８ａが第１ランド部２３ａに対向して設けられる。また、導電箔から成る第２アース端子２８ｂが第１アース端子２３ｂに対向して設けられる。
【００３４】
図８はプリント基板９の側面断面図を示している。第１ランド部２３ａには接地線８Ｅが半田付けされる。接地線８Ｅは第１スルーホール２５に挿通され、第１スルーホール２５に充填される半田２７により第２ランド部２８ａに半田付けされる。
【００３５】
第１アース端子２３ｂには電気部品（不図示）の接地側に導通する接続線１２が半田付けされる。接続線１２は電気部品に接続される導線または電気部品から延びた脚から成る。接続線１２は第２スルーホール２６に挿通され、第２スルーホール２６に充填される半田２７により第２アース端子２８ｂに半田付けされる。また、第２ランド部２８ａと第２アース端子２８ｂとはリード線２９を半田付けして接続される。
【００３６】
これにより、接地線８Ｅは配線２３及びリード線２９を介して電気部品の接地側に導通し、電気部品の接地側が接地される。従って、冷蔵庫１のプリント基板９の接地接続部は導電箔から成る配線２３と、リード線２９で接続した導電箔から成る第２ランド部２８ａ及び第２アース端子２８ｂとを有し、国際安全規格を満たしている。
【００３７】
本実施形態によると、第１ランド部２３ａ及び第１アース端子２３ｂを有する配線２３をプリント基板９の表面に設け、リード線２９で接続される第２ランド部２８ａ及び第２アース端子２８ｂをプリント基板９の裏面に設けたので、国際安全規格を満足して接地線８Ｅをプリント基板９に容易に接続することができる。従って、電源コード８に設けられた接地線８Ｅを接続する接続部品を削減して冷蔵庫１のコストを削減することができる。
【００３８】
また、第１、第２ランド部２３ａ、２８ａ及び第１、第２アース端子２３ｂ、２８ｂをプリント基板９の両面に設けたのでプリント基板９の実装効率が向上する。加えて、対向する第１、第２ランド部２３ａ、２８ａを貫通する第１スルーホール２５と、対向する第１、第２アース端子２３ｂ、２８ｂを貫通する第２スルーホール２６とを有するので、第１、第２スルーホール２５、２６を介して第１、第２ランド部２３ａ、２８ａ及び第１、第２アース端子２３ｂ、２８ｂに容易に半田２７を塗布することができる。従って、冷蔵庫１の製造工数を削減することができる。
【００３９】
尚、第１、第２ランド部２３ａ、２８ａのいずれか一方に接地線８Ｅを半田付けすればよく、第１、第２アース端子２３ｂ、２８ｂのいずれか一方に接続線１２を半田付けすればよい。
【００４０】
次に、第３実施形態の冷蔵庫について説明する。本実施形態は前述の図１〜図６に示す第１実施形態に対してプリント基板９の構成が異なっている。その他の部分は第１実施形態と同一である。図９は本実施形態のプリント基板９の表面を示す平面図である。説明の便宜上、第１実施形態と同一の部分は同一の符号を付している。
【００４１】
プリント基板９の表面には導電箔から成る配線２１、２２、２３、２４が設けられる。配線２１、２２には上記と同様に活電線８Ｌ及び中性線８Ｎが導通する。配線２３（第１配線）の一端には導電箔から成る第１ランド部２３ａが設けられる。配線２３の他端には導電箔から成る第１アース端子２３ｂが設けられる。配線２４（第２配線）の一端には導電箔から成る第２ランド部２４ａが設けられる。配線２４の他端には導電箔から成る第２アース端子２４ｂが設けられる。
【００４２】
第１ランド部２３ａには接地線８Ｅが半田付けされる。第２アース端子２４ｂには電気部品（不図示）の接地側に導通する接続線１２が半田付けされる。第１、第２ランド部２３ａ、２４ａはリード線３０を半田付けして接続される。第１、第２アース端子２３ｂ、２４ｂはリード線３１を半田付けして接続される。
【００４３】
これにより、接地線８Ｅは配線２３、２４を介して電気部品の接地側に導通し、電気部品の接地側が接地される。従って、冷蔵庫１のプリント基板９の接地接続部は導電箔から成る配線２３、２４を有し、国際安全規格を満たしている。
【００４４】
本実施形態によると、第１ランド部２３ａ及び第１アース端子２３ｂを有する配線２３と、第２ランド部２４ａ及び第２アース端子２４ｂを有する配線２４とをプリント基板９の一面に設け、第１、第２ランド部２３ａ、２４ａをリード線３０で接続するとともに第１、第２アース端子２３ｂ、２４ｂをリード線３１で接続したので、国際安全規格を満足して接地線８Ｅをプリント基板９に容易に接続することができる。従って、電源コード８に設けられる接地線８Ｅを接続する接続部品を削減して冷蔵庫１のコストを削減することができる。
【００４５】
尚、第１、第２ランド部２３ａ、２４ａのいずれか一方に接地線８Ｅを半田付けすればよく、第１、第２アース端子２３ｂ、２４ｂのいずれか一方に接続線１２を半田付けすればよい。
【００４６】
第１〜第３実施形態において、接地線接続用のプリント基板９を備えた冷蔵庫１について説明しているが、接地線接続用プリント基板を備えた電子レンジ、空気調和機、洗濯機、除湿器、空気清浄機等の手持型機器を除く家庭用の電気機器についても同様の構成により同様の効果を得ることができる。
【産業上の利用可能性】
【００４７】
本発明によると、接地線接続用プリント基板を備えた冷蔵庫、電子レンジ、空気調和機、洗濯機、除湿器、空気清浄機等の手持型機器を除く家庭用の電気機器に利用することができる。
【図面の簡単な説明】
【００４８】
【図１】本発明の第１実施形態の冷蔵庫を示す正面図
【図２】本発明の第１実施形態の冷蔵庫を示す側面断面図
【図３】本発明の第１実施形態の冷蔵庫のプリント基板と電源コードの接続状態を示す図
【図４】本発明の第１実施形態の冷蔵庫のプリント基板の表面を示す平面図
【図５】本発明の第１実施形態の冷蔵庫のプリント基板の裏面を示す平面図
【図６】本発明の第１実施形態の冷蔵庫のプリント基板を示す側面断面図
【図７】本発明の第２実施形態の冷蔵庫のプリント基板の裏面を示す平面図
【図８】本発明の第２実施形態の冷蔵庫のプリント基板を示す側面断面図
【図９】本発明の第３実施形態の冷蔵庫のプリント基板を示す平面図
【図１０】従来の冷蔵庫のプリント基板と電源コードの接続状態を示す図
【符号の説明】
【００４９】
１    冷蔵庫
２    冷凍室
３    冷蔵室
８    電源コード
８Ｅ  接地線
８Ｎ  中性線
８Ｌ  活電線
９    プリント基板
１０    ハウジング
１１    ネジ
１２    接続線
１３    筐体
２１〜２４  配線
２１ａ、２１ｂ、２２ａ、２２ｂ  ランド部
２３ａ  第１ランド部
２３ｂ  第１アース端子
２４ａ、２８ａ  第２ランド部
２４ｂ、２８ｂ  第２アース端子
２５    第１スルーホール
２６    第２スルーホール
２７    半田
２９〜３１  リード線
【図１】
2006261503.tif 000003
【図２】
2006261503.tif 000004
【図３】
2006261503.tif 000005
【図４】
2006261503.tif 000006
【図５】
2006261503.tif 000007
【図６】
2006261503.tif 000008
【図７】
2006261503.tif 000009
【図８】
2006261503.tif 000010
【図９】
2006261503.tif 000011
【図１０】
2006261503.tif 000012